(57)【要約】【課題】  光源装置の誤認識が発生しにくい点灯装置および該点灯装置を用いた照明システムを提供する。【解決手段】  点灯装置１は、光源装置２が有する光源２０に対して電気的に接続される一対の給電端子３１１，３１２と、直流電力を給電端子３１１，３１２に出力するように構成された電源回路１０と、電源回路１０を制御する制御回路１４とを備える。また、点灯装置１は、２個の認識用端子３１３，３１４を備える。制御回路１４は、いずれの認識用端子３１３，３１４がフロート状態であるかを検出することで光源２０の定格電流を認識し、認識された定格電流に応じて電源回路１０を制御する。【選択図】図１
2015162450.tif 000002
【特許請求の範囲】
【請求項１】
光源装置が有する光源に対して電気的に接続される一対の給電端子と、直流電力を前記給電端子に出力するように構成された電源回路と、前記電源回路を制御する制御回路と、前記光源装置が前記光源の定格電流に応じて有する通知用端子に電気的に接続される少なくとも１個の認識用端子とを備え、
前記制御回路は、いずれの前記認識用端子がフロート状態であるかを検出することで前記光源の定格電流を認識し、認識された定格電流に応じた電流を前記給電端子に出力するように前記電源回路を制御することを特徴とする点灯装置。
【請求項２】
前記認識用端子は複数個設けられていることを特徴とする請求項１記載の点灯装置。
【請求項３】
前記給電端子の一方がグランドに接続されていることを特徴とする請求項１又は請求項２記載の点灯装置。
【請求項４】
請求項１〜３のいずれか１項に記載の点灯装置と、前記点灯装置に対して択一的に接続可能な複数種類の光源装置とを備え、
前記光源装置は、前記給電端子に一対一に電気的に接続される受電端子と、前記受電端子間に電気的に接続された光源と、一方の前記受電端子に電気的に接続された少なくとも１個の通知用端子とを備え、
前記通知用端子が電気的に接続される前記認識用端子は、前記光源の定格電流に応じて異なっていることを特徴とする照明システム。
【発明の詳細な説明】
【技術分野】
【０００１】
本発明は、点灯装置および該点灯装置を用いた照明システムに関するものである。
【背景技術】
【０００２】
従来、発光素子を有する光源装置が接続されて発光素子を点灯させる点灯装置であって、それぞれ定格電流が異なる複数種類の光源装置を択一的に接続可能な点灯装置が提供されている（例えば、特許文献１参照）。
【０００３】
上記従来技術において、光源装置は、発光素子に並列に接続された抵抗を有し、この抵抗のインピーダンス（抵抗値）が、光源装置の定格電流毎に異なっていた。
【０００４】
また、点灯装置は、接続された光源装置の発光素子の点灯を開始させる前に、発光素子が点灯しない程度の電流を光源装置に入力するとともに、光源装置における電圧降下（すなわち上記の抵抗における電圧降下）を検出する。そして、点灯装置は、検出された電圧降下に基づいて、接続された光源装置の定格電流を認識し、以後は認識された定格電流を光源装置に入力する。
【先行技術文献】
【特許文献】
【０００５】
【特許文献１】特開２００５−９３１９６号公報
【発明の概要】
【発明が解決しようとする課題】
【０００６】
上記従来例のように抵抗における電圧降下すなわち抵抗のインピーダンスで光源装置を識別する場合、温度によるインピーダンスの変動やノイズによって誤認識が生じるおそれがある。
【０００７】
本発明は、上記事由に鑑みて為されたものであり、その目的は、光源装置の誤認識が発生しにくい点灯装置および該点灯装置を用いた照明システムを提供することにある。
【課題を解決するための手段】
【０００８】
本発明の点灯装置は、光源装置が有する光源に対して電気的に接続される一対の給電端子と、直流電力を前記給電端子に出力するように構成された電源回路と、前記電源回路を制御する制御回路と、前記光源装置が前記光源の定格電流に応じて有する通知用端子に電気的に接続される少なくとも１個の認識用端子とを備え、前記制御回路は、いずれの前記認識用端子がフロート状態であるかを検出することで前記光源の定格電流を認識し、認識された定格電流に応じた電流を前記給電端子に出力するように前記電源回路を制御することを特徴とする。
【０００９】
上記の点灯装置において、前記認識用端子は複数個設けられていることが望ましい。
【００１０】
上記の点灯装置において、前記給電端子の一方がグランドに接続されていることが望ましい。
【００１１】
本発明の照明システムは、上記いずれかの点灯装置と、前記点灯装置に対して択一的に接続可能な複数種類の光源装置とを備え、前記光源装置は、前記給電端子に一対一に電気的に接続される受電端子と、前記受電端子間に電気的に接続された光源と、一方の前記受電端子に電気的に接続された少なくとも１個の通知用端子とを備え、前記通知用端子が電気的に接続される前記認識用端子は、前記光源の定格電流に応じて異なっていることを特徴とする。
【発明の効果】
【００１２】
本発明によれば、認識用端子のフロート状態の検出を定格電流の認識に用いており、上記の検出は温度やノイズの影響を比較的に受けにくいから、光源装置のインピーダンスから定格電流が認識される場合に比べて誤認識が抑えられる。
【図面の簡単な説明】
【００１３】
【図１】本発明の実施形態を示す回路ブロック図である。
【図２】上記の実施形態における光源装置の別の例を示す回路ブロック図である。
【図３】ブーストコンバータの出力電圧Ｖ１と、制御電源回路の出力電圧Ｖｃｃと、制御回路における、定電圧端子からの出力電圧Ｖｃ、一方の入力端子への入力電圧Ｖｉ１、他方の入力端子への入力電圧Ｖｉ２、第１出力端子からの出力電圧Ｖｏ１、並びに、第２出力端子からの出力電圧Ｖｏ２と、第２スイッチング素子Ｑ２のオンオフ状態との、それぞれの時間変化を示す説明図である。
【図４】本発明の別の実施形態を示す回路ブロック図である。
【図５】照明装置の一例を示す斜視図である。
【発明を実施するための形態】
【００１４】
本発明の点灯装置１は、光源装置２が有する光源２０に対して電気的に接続される一対の給電端子３１１，３１２と、直流電力を給電端子３１１，３１２に出力するように構成された電源回路１０と、電源回路１０を制御する制御回路１４とを備える。また、点灯装置１は、光源装置２が光源２０の定格電流に応じて有する通知用端子３２３に電気的に接続される少なくとも１個の認識用端子３１３，３１４を備える。制御回路１４は、いずれの認識用端子３１３，３１４がフロート状態であるかを検出することで光源２０の定格電流を認識し、認識された定格電流に応じた電流を給電端子３１１，３１２に出力するように電源回路１０を制御する。
【００１５】
上記の点灯装置１において、認識用端子３１３，３１４は複数個設けられていることが望ましい。
【００１６】
上記の点灯装置１において、給電端子３１１，３１２の一方がグランドに接続されていることが望ましい。
【００１７】
本発明の照明システムは、上記いずれかの点灯装置１と、点灯装置１に対して択一的に接続可能な複数種類の光源装置２とを備える。光源装置２は、給電端子３１１，３１２に一対一に電気的に接続される受電端子３２１，３２２と、受電端子３２１，３２２間に電気的に接続された光源２０と、一方の受電端子３２２に電気的に接続された少なくとも１個の通知用端子３２３とを備える。通知用端子３２３が電気的に接続される認識用端子３１３，３１４は、光源２０の定格電流に応じて異なっている。
【００１８】
以下、本発明を実施するための最良の形態について、図面を参照しながら説明する。
【００１９】
図１に示すように、本実施形態の照明システムは、点灯装置１と、点灯装置１に対して択一的に接続可能な複数種類の光源装置２とを備える。
【００２０】
点灯装置１は、直流電力を出力するように構成された電源回路１０を備える。
【００２１】
電源回路１０は、ダイオードブリッジＤＢと、ブーストコンバータ１１と、バックコンバータ１２と、ブーストコンバータ１１とバックコンバータ１２とを駆動する駆動回路１３とを備える。駆動回路１３は例えばマイコンを用いて周知技術で実現可能である。
【００２２】
ダイオードブリッジＤＢは、外部の交流電源４からの入力を全波整流する。ダイオードブリッジＤＢの低電位側の直流出力端はグランドに接続されている。
【００２３】
ブーストコンバータ１１は、ダイオードブリッジＤＢの直流出力（脈流出力）を所定電圧の直流電力に変換する。具体的には、ブーストコンバータ１１は、ダイオードブリッジＤＢの高電位側の直流出力端に一端を接続された第１インダクタＬ１と、第１インダクタＬ１の他端にアノードを接続された第１ダイオードＤ１とを備える。また、ブーストコンバータ１１は、第１ダイオードＤ１のカソードとグランドとの間に接続されたコンデンサ（以下、「第１出力コンデンサ」と呼ぶ。）Ｃ１と、第１ダイオードＤ１のアノードとグランドとの間に接続された第１スイッチング素子Ｑ１とを備える。すなわち、第１出力コンデンサＣ１の両端電圧が、ブーストコンバータ１１の出力電圧Ｖ１となっている。駆動回路１３は、第１スイッチング素子Ｑ１を周期的にオンオフ制御する。また、駆動回路１３は、ブーストコンバータ１１の出力電圧Ｖ１を検出しており、検出された出力電圧Ｖ１に応じて上記のオンオフ制御のオンデューティを随時変更することで、ブーストコンバータ１１の出力電圧Ｖ１を所定の目標電圧とする定電圧制御を行う。上記のようなブーストコンバータ１１は入力の力率を１に近づける機能を有していることからＰＦＣ（Power factor correction）回路とも呼ばれる。
【００２４】
バックコンバータ１２は、ブーストコンバータ１１から入力された直流電圧を降圧する。具体的には、バックコンバータ１２は、カソードをブーストコンバータ１１の高電位側の出力端に接続された第２ダイオードＤ２と、第２ダイオードＤ２のアノードとグランドとの間に接続された第２スイッチング素子Ｑ２と抵抗Ｒ８との直列回路とを備える。また、バックコンバータ１２は、第２ダイオードＤ２に並列に接続されたコンデンサ（以下、「第２出力コンデンサ」と呼ぶ。）Ｃ２とインダクタ（以下、「第２インダクタ」と呼ぶ。）Ｌ２との直列回路を備える。すなわち、第２出力コンデンサＣ２の両端電圧が、バックコンバータ１２の出力電圧となっている。駆動回路１３は、第２スイッチング素子Ｑ２に直列に接続された例えばシャント抵抗のような抵抗Ｒ８により、第２スイッチング素子Ｑ２に流れる電流を検出している。そして、駆動回路１３は、検出された電流に応じたタイミングで第２スイッチング素子Ｑ２をオンオフ制御することで、バックコンバータ１２の出力電流を所定の目標電流とするという定電流制御を行う。
【００２５】
さらに、第２出力コンデンサＣ２には抵抗Ｒ９が並列に接続され、バックコンバータ１２の低電位側の出力端は抵抗Ｒ１０を介してグランドに接続されている。
【００２６】
また、光源装置２は、点灯装置１に対し、周知のコネクタ３を介して電気的に接続される。コネクタ３は、点灯装置１に設けられる電源側コネクタ３１と、光源装置２に設けられて電源側コネクタ３１に対し例えば嵌合により着脱自在に結合する負荷側コネクタ３２とからなる。
【００２７】
電源側コネクタ３１は、バックコンバータ１２の出力端に対して一対一に電気的に接続された一対の給電端子３１１，３１２を備える。
【００２８】
また、負荷側コネクタ３２は、電源側コネクタ３１に接続されたときに給電端子３１１，３１２に対して一対一に接触導通する一対の受電端子３２１，３２２を備える。光源装置２は、高電位側となる受電端子３２１にアノード側を接続されて低電位側となる受電端子３２２にカソード側を接続された発光ダイオードアレイからなる光源２０を備える。つまり、光源２０は受電端子３２１，３２２間に電気的に接続されている。複数種類の光源装置２は、光源２０の定格電流がそれぞれ異なる。光源２０の定格電流の違いは、光源２０を構成する個々の発光ダイオードの光色や光束といった特性の違いのほか、複数個の発光ダイオードからなる直列回路または１個ずつの発光ダイオードが互いに並列に接続された数（並列接続数）の違いによっても生じる。なお、光源２０としては、発光ダイオードアレイのほか、１個の発光ダイオードや、有機ＥＬなどの他の周知の光源を用いてもよい。
【００２９】
また、本実施形態の点灯装置１は、例えばマイコンからなり電源回路１０の駆動回路１３を制御する制御回路１４と、ブーストコンバータ１１から電力を供給されて制御回路１４の電源を生成する制御電源回路１５とを備える。制御電源回路１５は周知技術で実現可能であるので詳細な説明は省略する。
【００３０】
さらに、電源側コネクタ３１は、少なくとも１個（図１では２個）の認識用端子３１３，３１４を備える。また、点灯装置１は、ＮＰＮ型のトランジスタＴｒ１，Ｔｒ２を認識用端子３１３，３１４と同数（図１では２個）備える。各トランジスタＴｒ１，Ｔｒ２は、それぞれ、ベースを１個ずつの認識用端子３１３，３１４に接続され、エミッタをグランドに接続されている。また、制御回路１４は、１個ずつの抵抗Ｒ１，Ｒ２を介して各トランジスタＴｒ１，Ｔｒ２のコレクタに接続されて定電圧Ｖｃを出力するように構成された定電圧端子１４０を備える。さらに、制御回路１４は、１個ずつのトランジスタＴｒ１，Ｔｒ２のコレクタに接続された入力端子１４１，１４２を認識用端子３１３，３１４と同数（図１では２個）有する。
【００３１】
負荷側コネクタ３２は、一方の受電端子３２２に電気的に接続されて１個ずつの認識用端子３１３，３１４に接触導通するように構成された通知用端子３２３を、光源２０の定格電流に応じて有する。すなわち、認識用端子３１３，３１４のうち通知用端子３２３に接触導通する（つまり、電気的に接続される）ものは、通知用端子３２３を介して上記一方の受電端子３２２及びこれに接触導通する給電端子３１２に電気的に接続される。そして、図１のように一方の認識用端子３１４のみが一方の受電端子３２２に接続される光源装置２と、図２のように両方の認識用端子３１３，３１４がそれぞれ一方の受電端子３２２に接続される光源装置２とでは、光源２０の定格電流が異なる。具体的には例えば、光源２０の定格電流が１Ａであれば図１の構成とされ、光源２０の定格電流が３５０ｍＡであれば図２の構成とされる。また、図１のように通知用端子３２３の個数が認識用端子３１３，３１４の個数よりも少ない光源装置２においては、通知用端子３２３が接触しない認識用端子３１３に対して通知用端子３２３の代わりに接触するダミー端子３２４が設けられている。ダミー端子３２４は、通知用端子３２３と同様の構造を有しながら、いずれの受電端子３２１，３２２からも電気的に絶縁されている。なお、上記のダミー端子３２４は省略が可能である。また、図２のように複数個の認識用端子３１３，３１４に通知用端子３２３を接触させる場合、１個の通知用端子３２３が複数個の認識用端子３１３，３１４に接触導通してもよい。
【００３２】
以下、図３を用いて、本実施形態の動作を説明する。まず、交流電源４からの電力の供給が開始されると、図３にタイミングｔ０で示すようにブーストコンバータ１１の出力電圧Ｖ１が上昇する。この時点ｔ０では駆動回路１３は第２スイッチング素子Ｑ２をオフ状態に維持しており、低電位側の給電端子３１２のグランドに対する電圧（対グランド電圧）は、ブーストコンバータ１１の出力電圧Ｖ１が抵抗Ｒ９，Ｒ１０で分圧された電圧となる。また、上記のようにブーストコンバータ１１の出力電圧Ｖ１が上昇すると、図３にタイミングｔ１で示すようにブーストコンバータ１１から電力を供給された制御電源回路１５の出力電圧Ｖｃｃが立ち上がる。すると、制御電源回路１５からの電力供給を受けて制御回路１４が動作を開始し、制御回路１４の定電圧端子１４０から定電圧Ｖｃの出力が開始される。また、上記のように第２スイッチング素子Ｑ２がオフ状態に維持されているときの給電端子３１１，３１２間の電圧が、光源２０の順方向電圧のうち最も低いものよりも低くなるように、上記の抵抗Ｒ９，Ｒ１０の抵抗値は決定されている。
【００３３】
電源側コネクタ３１に負荷側コネクタ３２が接続されていない状態では、全ての認識用端子３１３，３１４がフロート状態となる。この状態では、全てのトランジスタＴｒ１，Ｔｒ２がオフ状態となるので、制御回路１４の全ての入力端子１４１，１４２への入力電圧Ｖｉ１，Ｖｉ２はそれぞれ上記の定電圧Ｖｃにほぼ一致するＨレベルとなる。この状態で、図３にタイミングｔ２，ｔ４で示すように負荷側コネクタ３２が電源側コネクタ３１に接続されると、通知用端子３２３に接触導通する認識用端子３１３，３１４のみが、光源装置２内の導電路を介して低電位側の給電端子３１２に電気的に接続される。この時点では、上記のように給電端子３１１，３１２間の電圧は光源２０の順方向電圧のうち最も低いものよりも低くされているので、接続された光源装置２の種別に関わらず光源２０は点灯しない。また、トランジスタＴｒ１，Ｔｒ２のうち、上記のように低電位側の給電端子３１２に電気的に接続された認識用端子３１３，３１４にベースを接続されたトランジスタＴｒ１，Ｔｒ２のみがオンされる。すると、オンされたトランジスタＴｒ１，Ｔｒ２に接続された入力端子１４１，１４２のみ入力電圧Ｖｉ１，Ｖｉ２がＬレベルとなる。つまり、通知用端子３２３に接触導通する（つまり、フロート状態ではない）認識用端子３１３，３１４に対応する入力端子１４１，１４２でのみ入力電圧Ｖｉ１，Ｖｉ２がＬレベルとなる。これにより、いずれの認識用端子３１３，３１４がフロート状態であるかが検出されている。具体的には、図３のタイミングｔ２では、図１のように１個の認識用端子３１４に接触導通する通知用端子３２３を１個だけ有する光源装置２が接続されていることで、１個の入力端子１４２でのみ入力電圧Ｖｉ２がＬレベルとなっている。また、図３のタイミングｔ４では、図２のように認識用端子３１３，３１４に一対一に接触導通する通知用端子３２３を２個有する光源装置２が接続されていることで、両方の入力端子１４１，１４２で入力電圧Ｖｉ１，Ｖｉ２がＬレベルとなっている。
【００３４】
制御回路１４では、入力端子１４１，１４２における入力電圧Ｖｉ１，Ｖｉ２の組み合わせと光源装置２の定格電流との対応関係を示すテーブルが予め記憶されている。そして、制御回路１４は、入力端子１４１，１４２における入力電圧Ｖｉ１，Ｖｉ２の組み合わせを上記のテーブルに照合することで、光源装置２の定格電流を認識する。光源装置２の定格電流が認識されると、制御回路１４は、認識された定格電流を駆動回路１３に通知する。具体的には例えば、制御回路１４はそれぞれ駆動回路１３の互いに異なる端子に接続される２個の出力端子１４３，１４４を有する。制御回路１４は、一方の出力端子（以下、「第１出力端子」と呼ぶ）１４３からは、光源装置２の着脱（すなわち電源側コネクタ３１に対する負荷側コネクタ３２の着脱）が検出されたときにパルスＶｏ１を出力する。具体的には、制御回路１４は、いずれかの入力端子１４１，１４２において入力電圧がＬレベルとなったとき（つまり、認識用端子３１３，３１４のいずれかがフロート状態ではなくなったとき）に光源装置２の装着を検出する。また、制御回路１４は、図３のタイミングｔ３のように、両方の入力端子１４１，１４２において入力電圧がＨレベルとなったとき（つまり、全ての認識用端子３１３，３１４がフロート状態となったとき）に光源装置２の取り外しを検出する。また、制御回路１４は、他方の出力端子（以下、「第２出力端子」と呼ぶ）１４４からは、光源装置２の定格電流が認識されたときに、認識された定格電流に応じた電圧値のパルスＶｏ２を出力する。つまり、光源装置２の装着が検出されたときには、２個の出力端子１４３，１４４から略同時にパルスＶｏ１，Ｖｏ２が出力される。駆動回路１３は、第２スイッチング素子Ｑ２を駆動していない状態で、第２出力端子１４４からパルスＶｏ２を入力されると、該パルスＶｏ２の高さにより認識された定格電流を定電流制御の目標値として第２スイッチング素子Ｑ２の駆動を開始する。また、駆動回路１３は、第２スイッチング素子Ｑ２を駆動している状態で、第１出力端子１４３からパルスＶｏ１を入力されると、第２スイッチング素子Ｑ２の駆動を停止して第２スイッチング素子Ｑ２をオフ状態に維持する。つまり、光源２０が点灯している状態で光源装置２が取り外されたときには、全ての認識用端子３１３，３１４がフロート状態となることで第２スイッチング素子Ｑ２の駆動が停止され、これによって電源回路１０の出力電圧が低下する。従って、光源装置２が取り外されても電源回路１０の出力電圧（つまり、給電端子３１１，３１２間の電圧）が低下しない場合に比べ、安全性が向上する。なお、第１出力端子１４３において、光源装置２の装着が検出されたときのパルスＶｏ１は省略されてもよい。また、外部からの入力に応じた調光や、照度一定制御などの周知技術と組み合わされる場合、認識された定格電流に対して上記の目標値は適宜低くされてもよい。さらに、上記のようにパルスＶｏ２の高さ（電圧値）によって定格電流を表現する代わりに、パルスの幅やパルスの個数によって定格電流が表現されてもよい。
【００３５】
上記構成によれば、認識用端子３１３，３１４のフロート状態の検出を定格電流の認識に用いており、上記の検出は温度やノイズの影響を比較的に受けにくいから、定格電流の認識に光源装置２のインピーダンスが用いられる場合に比べて誤認識が抑えられる。
【００３６】
また、例えば認識用端子３１３，３１４が１個しかない場合は、通知用端子３２３の有無で２通りの定常電流しか表現できない上に、光源装置２が接続されていない状態（以下、「無負荷状態」と呼ぶ。）の検出に認識用端子３１３，３１４を用いることができない。これに対し、本実施形態では、認識用端子３１３，３１４が２個あることで、全ての認識用端子３１３，３１４がフロート状態であることに基づいて無負荷状態を検出することができるほか、３通りの定常電流を表現することができる。なお、認識用端子３１３，３１４の個数は３個以上であってもよい。認識用端子３１３，３１４の個数をｎとすると、全ての認識用端子３１３，３１４がフロート状態であるときに無負荷状態であると認識されるとしても、２のｎ乗から１を減じた個数の定常電流を表現することができる。または、複数個の認識用端子３１３，３１４のうちの１個（例えば図１での下側の認識用端子３１４）を無負荷状態の検出専用としてもよい。この場合、光源装置２は、光源２０の定格電流に関わらず、上記１個の認識用端子３１４に接触導通する通知用端子３２３を有する。上記のように認識用端子３１３，３１４を用いて無負荷状態を検出する場合、無負荷状態を検出する回路を別途に設ける場合に比べて回路の簡略化が可能となる。
【００３７】
さらに、駆動回路１３が、バックコンバータ１２の出力電圧を検出するとともに所定の正常範囲と比較し、バックコンバータ１２の出力電圧が正常範囲内にないときにスイッチング素子Ｑ２の駆動を停止させてもよい。この場合において、正常範囲の上限値や下限値は、光源装置２の定常電流に応じて異なっていてもよい。
【００３８】
なお、回路構成は図１に限られず、例えば、図４に示すような回路構成としてもよい。図４の例では、第２スイッチング素子Ｑ２はブーストコンバータ１１の高電位側の出力端に接続されており、第２スイッチング素子Ｑ２のソース電位がグランドではなくなっている。このため、第２スイッチング素子Ｑ２のゲートソース間電圧を適切な電圧とするための周知のハイサイドドライバ１６が、駆動回路１３と第２スイッチング素子Ｑ２との間に設けられている。また、バックコンバータ１２において、第２インダクタＬ２が、第２ダイオードＤ２のカソード（つまり高電位側）に接続されている。つまり、バックコンバータ１２の低電位側の出力端、及び、低電位側の給電端子３１２の電位がほぼグランドとなっている。また、図１の例ではバックコンバータ１２の出力端に設けられていた抵抗Ｒ９，Ｒ１０が削除されている。さらに、トランジスタＴｒ１，Ｔｒ２及びトランジスタＴｒ１，Ｔｒ２のベースに接続されていた抵抗Ｒ３，Ｒ４が削除され、各認識用端子３１３，３１４はそれぞれ制御回路１４の１個ずつの入力端子１４１，１４２に直接に電気的に接続されている。図４の例では、光源装置２を介して認識用端子３１３，３１４に電気的に接続される給電端子３１２の電位がグランドとされていることで、図１の例に比べ、抵抗Ｒ９，Ｒ１０の削除など回路構成の簡略化が可能となっている。
【００３９】
点灯装置１と１個の光源装置２とで構成される照明装置は、例えば図５に示すような外観となる。図５の例では、点灯装置１と光源装置２とがケーブル５を介して互いに電気的に接続されている。コネクタ３は、ケーブル５において点灯装置１側の端に設けられてもよいし、ケーブル５において光源装置２側の端に設けられてもよいし、ケーブル５の中央部に設けられてもよい。ただし、コネクタ３よりも点灯装置１側のケーブル５には、認識用端子３１３，３１４の数に送電用の２本を加えた本数（図１の例では４本）の電線（図示せず）を設ける必要がある。これに対し、全ての通知用端子３２３と１個の受電端子３２２とは全て同電位であるから共通の１本の電線に接続されてよいことにより、コネクタ３よりも光源装置２側ではケーブル５が有するべき電線（図示せず）は２本で済む。従って、コネクタ３はケーブル５において点灯装置１側の端に設けられること（言い換えれば、ケーブル５は光源装置２側に設けられること）が望ましい。
【符号の説明】
【００４０】
１  点灯装置
２  光源装置
１０  電源回路
１４  制御回路
３１１，３１２  給電端子
３１３，３１４  認識用端子
３２１，３２２  受電端子
３２３  通知用端子
【図１】
2015162450.tif 000003
【図２】
2015162450.tif 000004
【図３】
2015162450.tif 000005
【図４】
2015162450.tif 000006
【図５】
2015162450.tif 000007